(57)【要約】【課題】無線式通信媒体及びアンテナ部の双方の破損を防止することが可能な改札機を提供することを目的とする。【解決手段】無線通信可能な無線式通信媒体との間で無線通信を行うことによって改札処理を行う改札機において、無線リーダライタ部の無線アンテナ１０５による無線通信可能な通信エリアに配置された筐体１０と、この筐体１０上に配置され外部からの衝撃を緩和する衝撃緩和体１２と、を備えたことを特徴とする。【選択図】    図４
2004185301.tif 000002
【特許請求の範囲】
【請求項１】
無線通信可能な無線式通信媒体との間で無線通信を行う通信手段と、
前記通信手段による通信結果に基づいて改札処理を行う改札手段と、
前記通信手段による無線通信可能な通信エリアに配置された筐体と、
前記筐体上に配置され、外部からの衝撃を緩和する衝撃緩和体と、
を備えたことを特徴とする改札機。
【請求項２】
無線通信可能な無線式通信媒体との間で無線通信を行う通信手段と、
前記通信手段による通信結果に基づいて改札処理を行う改札手段と、
前記通信手段による無線通信可能な通信エリアに配置されるとともに、前記通信エリアに対応した凹部を有する筐体と、
前記凹部に配置され、外部からの衝撃を緩和する衝撃緩和体と、
を備えたことを特徴とする改札機。
【請求項３】
前記衝撃緩和体は、板状のゴム材料またはゲル状材料で形成されたことを特徴とする請求項１または２に記載の改札機。
【請求項４】
さらに、前記衝撃緩和体の表面を被覆する表面被覆体を備えたことを特徴とする請求項１乃至３のいずれか１項に記載の改札機。
【請求項５】
前記表面被覆体は、フィルム状の合成樹脂によって形成されたことを特徴とする請求項４に記載の改札機。
【請求項６】
前記表面被覆体は、光透過性を有し、前記衝撃緩和体と対向する面に印刷情報を有することを特徴とする請求項４に記載の改札機。
【発明の詳細な説明】
【０００１】
【発明の属する技術分野】
この発明は、改札機に係り、特に、無線式通信媒体との間で無線通信を行うことによって改札処理を行う改札機に関する。
【０００２】
【従来の技術】
改札処理の省力化を目的として、改札機が導入されている。この改札機は、利用者が駅構内や遊戯施設などの施設内に入場する場合や、施設内から出場する場合などに、入場券、プリペイドカード、定期券、乗車券などの券媒体を取り込み、券媒体に記録された券情報に基づいて利用者の通行を許可するか否かの通行判定処理を行う。
【０００３】
また近年、無線式通信媒体との間で無線通信を行うことにより改札処理を行う改札機が実用化されている。このような改札機に適用される無線式通信媒体は、定期券として利用する際に必要な定期券情報、例えば利用区間、有効期限、利用者の氏名、住所、などに関する情報のほかに、プリペイドカードとして利用する際に必要なプリペイド情報、例えば金額（残額）などに関する情報を記憶したメモリ部を備えている。
【０００４】
このような改札機は、無線式通信媒体との間で無線通信を行うための無線リーダライタ部を備えている。このように、無線通信機能を有する改札機では、無線通信を確実に行うために、無線式通信媒体を無線リーダライタ部のアンテナ部にタッチすることを奨励している（例えば、特許文献１参照。）。
【０００５】
【特許文献１】
特開２０００−１５５８６０号公報
【発明が解決しようとする課題】
上述したような改札機においては、無線式通信媒体をアンテナ部にタッチすることを奨励しているが、利用者が無線式通信媒体をアンテナ部に強打してしまうと、無線式通信媒体及びアンテナ部の双方を破損してしまうおそれがある。
【０００６】
そこで、この発明は、上述した問題点に鑑みなされたものであって、その目的は、通信対象となる無線式通信媒体及びアンテナ部の双方の破損を防止することが可能な改札機を提供することにある。
【０００７】
【課題を解決するための手段】
この発明の様態による改札機は、
無線通信可能な無線式通信媒体との間で無線通信を行う通信手段と、
前記通信手段による通信結果に基づいて改札処理を行う改札手段と、
前記通信手段による無線通信可能な通信エリアに配置された筐体と、
前記筐体上に配置され、外部からの衝撃を緩和する衝撃緩和体と、
を備えたことを特徴とする。
【０００８】
【発明の実施の形態】
以下、この発明の一実施の形態に係る改札機について図面を参照して説明する。
【０００９】
図１に示すように、改札機１００は、利用者が所持する券類から改札処理に必要な改札情報を読み取り、この改札情報に基づいて改札処理を行う。この改札機１００は、例えば磁気式の券類や、無線式通信媒体などの券類を処理する。
【００１０】
すなわち、改札機１００は、通常、２台１組として施設の改札口などに設置され、両者の間に利用者が通行する改札通路が形成される。入場業務や出場業務を行う改札機は、本体０を備えている。この本体０の上面には、無線式通信媒体との間で無線通信を行うための無線アンテナなどを備えた筐体（無線通信部）１０が設けられている。
【００１１】
本体０における改札通路上流側には、利用者などに対して改札通路の通行が可能であるか否かなどの案内を行うための案内表示部１２１Ａが設けられている。また、本体０における改札通路下流側には、利用者などに対して改札処理の結果などの案内を行うための案内表示部１２１Ｂが設けられている。
【００１２】
本体０の改札通路側の側面の両端部には、それぞれ利用者の通行を制御する開閉動作可能なドア部５が設けられている。これらのドア部５は、通行可否の判定結果に基づいて開閉制御される。
【００１３】
本体０の上部には、利用者の改札通路を規定するための枠体６が立設されている。枠体６及び本体０の各通路側の側面には、利用者の通過を検知する複数の人間検知センサ１１７がそれぞれ設けられている。また、枠体６上には、小児券、無効券の投入や機器の異常などの装置の動作状態を表示する状態表示部１２１Ｃが設けられている。
【００１４】
なお、このような改札機で処理可能な磁気式の券類としては、普通乗車券、回数券、特急券、定期券、プリペイドカードなどがあり、無線式通信媒体としては、定期券、プリペイドカード、及び定期券とプリペイドカードとの両方の機能を兼ね備えたカード状媒体にＩＣチップを内蔵した無線カードがある。また、近年、無線式通信媒体として、携帯電話などの携帯端末機器に、改札機をはじめとする駅務機器との間で無線通信を行うための機能を持たせることも提案されている。
【００１５】
図２に示すように、無線式通信媒体Ｃは、改札情報を記憶したメモリ部Ｍを備えている。このメモリ部Ｍには、定期券として利用する際に必要な定期券情報、例えば利用区間、有効期限、利用者の氏名、住所、性別、年齢などの情報が記憶されている。また、このメモリ部には、プリペイドカードとして利用する際に必要なプリペイド情報、例えば金額情報（残額情報）などが記憶されている。
【００１６】
図３に示すように、改札機１００は、券類に記憶された改札情報に基づいて改札処理を行なう改札手段として機能するＣＰＵ１０１を備えている。
【００１７】
このＣＰＵ１０１には、メモリ部１０２が接続されている。このメモリ部１０２は、ＣＰＵ１０１などの制御プログラムを記憶しているリード・オンリー・メモリすなわちＲＯＭ、券類から読み取った改札情報を一時的に記憶するとともに制御プログラムのバッファとして情報を記憶するランダム・アクセス・メモリすなわちＲＡＭ、入場駅からこの改札機１００の設置駅までの改札処理及び精算処理に必要な運賃情報を記憶している運賃メモリなどを備えて構成されている。
【００１８】
また、ＣＰＵ１０１には、無線リーダライタ部１０４が接続されている。この無線リーダライタ部１０４は、券類としての無線式通信媒体Ｃとの間で無線通信を行う通信手段として機能する無線アンテナ１０５を備えている。すなわち、この無線リーダライタ部１０４は、無線式通信媒体Ｃから所定の改札情報を読み取る機能を有するとともに、無線式通信媒体Ｃに対して所定の改札情報を書き込む機能を有する。
【００１９】
また、ＣＰＵ１０１には、人間検知センサ１１７からの入力信号を検知する通過検知回路１１８と、ドア機構１１９の駆動を制御するドア制御回路１２０と、が接続されている。
【００２０】
人間検知センサ１１７は、改札通路を通過する通行人すなわち券類の利用者を検知する。通過検知回路１１８は、人間検知センサ１１７から出力された検知信号を処理して利用者の通過状態を検出する。ドア機構１１９は、閉鎖することにより改札通路の通過を阻止するとともに開放することによって改札通路の通過を許可する。ドア制御回路１２０は、改札処理の結果に基づいてドア機構１１９の開閉駆動を制御する。
【００２１】
さらに、ＣＰＵ１０１には、表示部１２１の表示を制御する表示制御回路１２２、音声出力部１２３による案内音声の出力を制御する音声出力制御回路１２４、通信回線を介してホストコンピュータや係員監視装置１３０に接続されこれらの間でデータを送受信するための通信制御部１２６などが接続されている。
【００２２】
表示部１２１及び音声出力部１２３は、改札処理が行われたのに基づいて改札結果を案内する機能を有する。すなわち、表示部１２１は、改札処理が行われた際に券類が有効であるか否かの旨（すなわち改札通路の通過を許可できるか否かの判定結果）のメッセージなどを表示する。また、音声出力部１２３は、改札処理が行われた際に券類が有効であるか否かの旨のメッセージを音声にて出力する。
【００２３】
ＣＰＵ１０１は、券類としての無線式通信媒体から読み取った改札情報に基づいて、無線式通信媒体が定期券として利用されたと判断した場合、例えば利用区間内から入場及び出場した場合には、利用者の通過可否を判定する改札処理を行う。
【００２４】
また、ＣＰＵ１０１は、券類としての無線式通信媒体から読み取った改札情報に基づいて、無線式通信媒体がプリペイドカードとして利用されたと判断した場合に精算金額を算出する。そして、ＣＰＵ１０１は、無線式通信媒体がプリペイドカードとして利用されたと判断した場合、例えば利用区間外から入場した場合には、初乗り金額相当分を金額情報から減額する精算処理を行い、また、利用区間外で出場した場合には、精算金額相当分の金額情報を減額する精算処理を行う。
【００２５】
ところで、上述したような構成の改札機１００においては、無線リーダライタ部１０４は、図４に示すように、無線アンテナ１０５を備えている。この無線アンテナ１０５は、改札機本体０から突出した筐体１０の内部に収納されている。すなわち、この筐体１０は、無線アンテナ１０５によって通信可能な通信エリアに配置されている。
【００２６】
また、この筐体１０は、主面１０Ａを有している。この主面１０Ａは、例えば利用者が所持する無線式通信媒体とのタッチを奨励するために、改札通路を進行する利用者がタッチしやすいような傾斜している。この主面１０Ａは、当然のことながら、無線アンテナ１０５の通信エリアを含んで配置されている。
【００２７】
すなわち、筐体１０は、図４及び図５に示すように、無線アンテナ１０５の通信エリアに対応したアンテナ部１０Ｂを有している。アンテナ部１０Ｂは、通信エリアに対応して主面１０Ａからくぼんだ凹部によって形成されている。この実施の形態では、アンテナ部１０Ｂは、矩形状の外形を有するとともに、ほぼ一定の所定の深さを有している。
【００２８】
つまり、このアンテナ部１０Ｂは、無線アンテナ１０５側に向かって突出しているとともに、無線アンテナ１０５に対して所定のギャップを有して対向している。このような構造のアンテナ部１０Ｂを有する筐体１０は、一体成形された合成樹脂などによって形成されている。
【００２９】
このアンテナ部１０Ｂには、外部からの衝撃を緩和するための衝撃緩和体１２が配置されている。この衝撃緩和体１２は、外部からの衝撃を緩和できるものであれば、その材質は問わないが、ここでは、ウレタンゴムやクロロプレンゴムなどのゴム材料のほかに、ゲル状材料なども適用可能である。例えば、この衝撃緩和体１２は、６０度程度の硬度を有している。
【００３０】
この衝撃緩和体１２は、例えばアンテナ部１０Ｂの深さより薄い厚さを有した板状に形成されている。例えば、３ｍｍの深さを有するアンテナ部１０Ｂに対して、衝撃緩和体１２は、約２ｍｍ程度の厚さを有している。また、この衝撃緩和体１２は、アンテナ部１０Ｂと同等の外形寸法を有しており、例えばほぼ矩形状のアンテナ部１０Ｂに対して同等寸法の矩形状に形成されている。
【００３１】
このように、筐体１０のアンテナ部１０Ｂに衝撃緩和体１２を備えたことにより、無線式通信媒体Ｃとの間でタッチを奨励している改札機１００において、利用者が所持している無線式通信媒体Ｃをアンテナ部１０Ｂに強打した場合であっても、その衝撃を緩和することができ、無線式通信媒体Ｃ及びアンテナ部１０Ｂの双方の破損を防止することが可能となる。
【００３２】
また、この実施の形態では、衝撃緩和体１２の表面は、表面被覆体１４によって被覆されている。この表面被覆体１４は、衝撃緩和体１２の表面を保護する機能を有している。また、この表面被覆体１４は、その表面が平滑であることが要求される。
【００３３】
すなわち、所定方向に進行しながら無線式通信媒体Ｃをアンテナ部１０Ｂにタッチする際に、無線式通信媒体Ｃとアンテナ部１０Ｂとの間の抵抗を小さくするため、表面被覆体１４の表面が滑らかであることが必要である。
【００３４】
このような表面被覆体１４は、衝撃緩和体１２を保護するためのある程度の強度を有するとともに、その表面が平滑な材料によって形成される。例えば、表面被覆体１４は、フィルム状のポリエステルやポリカーボネートなどの合成樹脂材料によって形成されている。
【００３５】
また、この表面被覆体１４は、例えばアンテナ部１０Ｂの深さより薄い厚さを有した板状に形成されている。例えば、表面被覆体１４は、約０．２ｍｍ程度の厚さを有している。さらに、この表面被覆体１４は、アンテナ部１０Ｂ及び衝撃緩和体１２と同等の外形寸法を有しており、例えばほぼ矩形状のアンテナ部１０Ｂに対して同等寸法の矩形状に形成されている。
【００３６】
このように、アンテナ部１０Ｂにおいて、衝撃緩和体１２の表面に表面被覆体１４を備えたことにより、無線式通信媒体Ｃとの間でタッチを奨励している改札機１００において、利用者が所持している無線式通信媒体Ｃをアンテナ部１０Ｂにスムーズにタッチすることができ、しかも、衝撃緩和体１２の表面を保護することが可能となる。
【００３７】
さらに、この実施の形態では、表面被覆体１４の裏面、すなわち、衝撃緩和体１２に対抗する面には、印刷情報１４Ｐを有している。この印刷情報１４Ｐは、例えば「無線式通信媒体をタッチしてください」などの旨の案内用文字情報である。このため、表面被覆体１４は、光透過性を有する材料によって形成されることが望ましい。
【００３８】
これにより、アンテナ部１０Ｂにおいて、利用者に対して所持している無線式通信媒体のアンテナ部１０Ｂへのタッチを奨励できるとともに、表面被覆体１４の裏面に印刷情報１４Ｐを配置したことにより、無線式通信媒体の表面被覆体１４へのタッチの回数が多くなっても、印刷情報１４Ｐが剥がれることがなく、耐久性を確保することができる。
【００３９】
このようなアンテナ部１０Ｂにおいては、衝撃緩和体１２及び表面被覆体１４は、それぞれ接着される。すなわち、衝撃緩和体１２は、アンテナ部１０Ｂとの間に配置された両面テープなどの接着性を有する材料によって接着される。また、表面被覆体１４は、衝撃緩和体１２との間に配置された両面テープなどの接着性を有する材料によって接着される。
【００４０】
なお、上述した実施の形態では、衝撃緩和体１２の表面に表面被覆体１４を配置したが、衝撃緩和体１２の表面が十分な平滑性を有していれば、必ずしも表面被覆体１４を配置する必要はない。また、上述した実施の形態では、衝撃緩和体１２は、両面テープなどによってアンテナ部１０Ｂに接着されたが、衝撃緩和体１２自体が接着性を有する材料であれば、両面テープなどは不要であることはいうまでもない。当然のことながら、表面被覆体１４自体が接着性を有する材料であれば、衝撃緩和体１２との間の両面テープなども不要である。
【００４１】
また、アンテナ部１０Ｂを構成する凹部の深さは、そこに配置される衝撃緩和体１２、表面被覆体１４、接着剤などの厚さを考慮して決定され、これら全ての厚さとほぼ同等になることが望ましい。
【００４２】
以上説明したように、この実施の形態に係る改札機１００によれば、無線リーダライタ部１０４における無線アンテナ１０５の通信エリアに対応して配置された筐体１０を備えている。この筐体１０は、外部からの衝撃を緩和するための衝撃緩和体１２を備えている。すなわち、筐体１０は、通信エリアに対応した凹部からなるアンテナ部１０Ｂを含んでいる。衝撃緩和体１２は、このアンテナ部１０Ｂに配置されている。このような構造により、無線式通信媒体Ｃをアンテナ部１０Ｂにタッチした際の衝撃を緩和することができ、無線式通信媒体Ｃ及びアンテナ部１０Ｂの双方の破損を防止することができる。
【００４３】
また、衝撃緩和体１２の表面は、表面被覆体１４によって被覆されている。この表面被覆体は、その表面が平滑であるとともに、その裏面に印刷情報１４Ｐを有している。このため、無線式通信媒体Ｃをアンテナ部１０Ｂにスムーズにタッチするっことができ、改札効率を向上することができるとともに、衝撃緩和体１２の表面を保護することができる。また、表面被覆体１４を光透過性を有する材料によって形成したことにより、裏面に印刷情報１４Ｐを印刷しても視認性をもたせることができ、しかも、印刷情報の剥がれを防止することができ、耐久性を確保することができる。
【００４４】
なお、この発明は上記各実施の形態に限定されるものではなく、その実施の段階ではその要旨を逸脱しない範囲で種々な変形・変更が可能である。また、各実施の形態は可能な限り適宜組み合わせて実施されてもよく、その場合組み合わせによる効果が得られる。
【００４５】
【発明の効果】
以上説明したように、この発明によれば、通信対象としての無線式通信媒体及びアンテナ部の双方の破損を防止することが可能な改札機を提供することができる。
【図面の簡単な説明】
【図１】図１は、この発明の一実施の形態に係る改札機の構成を概略的に示す図である。
【図２】図２は、図１に示した改札機に適用可能な無線カードのメモリ部の構成を概略的に示す図である。
【図３】図３は、図１に示した改札機の制御系統の構成を概略的に示すブロック図である。
【図４】図４は、図１に示した改札機におけるアンテナ部の構造を概略的に示す図である。
【図５】図５は、図４に示したアンテナ部の構造を概略的に示す分解斜視図である。
【符号の説明】
０…改札機本体、１０…筐体、１０Ａ…主面、１０Ｂ…アンテナ部、１２…衝撃緩和体、１４…表面被覆体、１４Ｐ…印刷情報、１００…改札機、１０１…ＣＰＵ（改札手段）、１０２…メモリ部、１０４…無線リーダライタ部（通信手段）、１０５…無線アンテナ、Ｃ…無線式通信媒体、Ｍ…メモリ部。
【図１】
2004185301.tif 000003
【図２】
2004185301.tif 000004
【図３】
2004185301.tif 000005
【図４】
2004185301.tif 000006
【図５】
2004185301.tif 000007